【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
ネブライザ（１）によって噴霧される流体（２）を収容する容器（３）のための表示デバイス（２５）であって、
前記表示デバイス（２５）は、前記容器（３）又は前記ネブライザ（１）を用いて実施されたか又は依然として可能な使用回数を計数する及び／又は表示するようになっており、
前記表示デバイス（２５）の前記計数又は表示を駆動、起動、又はトリガするための駆動部分（５２）のための挿入開口部（５４）を含み、予め決められた使用回数が到達されたか又は超過された時にロック状態で該挿入開口部（５４）を遮断又は閉鎖するようになっている、
ことを特徴とする表示デバイス（２５）。
【請求項２】
前記挿入開口部（５４）は、前記表示デバイス（２５）のハウジング（３１）又は下側部分（３４）に配置されることを特徴とする請求項１に記載の表示デバイス。
【請求項３】
前記挿入開口部（５４）は、前記表示デバイス（２５）の中心に及び／又はその軸線方向面上に配置されることを特徴とする請求項１又は請求項２に記載の表示デバイス。
【請求項４】
前記表示デバイス（２５）が、表示要素（３５）と該表示要素（３５）を回転送りするための起動要素（３６）とを含み、該起動要素（３６）は、前記ロック状態で前記挿入開口部（５４）を遮断又は閉鎖するように構成されることを特徴とする請求項１から請求項３のいずれか１項に記載の表示デバイス。
【請求項５】
前記表示デバイス（２５）が、前記ロック状態で前記挿入開口部（５４）を遮断又は閉鎖する阻止部分（６１）を含むことを特徴とする請求項２から請求項４のいずれか１項に記載の表示デバイス。
【請求項６】
ネブライザ（１）のための容器（３）であって、
前記容器（３）は、流体（２）を収容し、
前記容器（３）は、前記容器（３）を用いて実施されたか又は依然として可能な使用回数を計数する及び／又は表示するための表示デバイス（２５）を含み、
前記表示デバイス（２５）は、表示要素（３５）と該表示要素（３５）を回転送りするための起動要素（３６）とを含み、
前記起動要素（３６）は、前記容器（３）を用いた予め決められた使用回数が到達されたか又は超過された時にロック状態で前記容器（３）の更なる使用を阻止するように構成され、及び／又は
前記起動要素（３６）は、前記表示要素（３５）を回転送りするために第１及び第２の位置間で前後に移動可能であり、かつ前記容器（３）を用いた予め決められた使用回数が到達されたか又は超過された時にロック状態で前記容器（３）の更なる使用を阻止する第３の位置内に移動可能である、
ことを特徴とする容器（３）。
【請求項７】
前記起動要素（３６）は、摺動キャリッジを含み又は摺動キャリッジによって形成されることを特徴とする請求項６に記載の容器。
【請求項８】
前記起動要素（３６）は、前記ロック状態で前記表示デバイス（２５）の挿入開口部（５４）を閉鎖することを特徴とする請求項６又は請求項７に記載の容器。
【請求項９】
ネブライザ（１）のための容器（３）であって、
前記容器（３）は、流体（２）を収容し、
前記容器（３）は、前記容器（３）を用いて実施されたか又は依然として可能な使用回数を計数する及び／又は表示するための表示デバイス（２５）を含み、
前記表示デバイス（２５）は、前記容器（３）を用いた予め決められた使用回数が到達されたか又は超過された時にロック状態で前記容器（３）の更なる使用を阻止する阻止部分（６１）を含み、
前記阻止部分（６１）は、前記ロック状態で前記表示デバイス（２５）の挿入開口部（５４）を閉鎖し、好ましくは、前記表示デバイス（２５）は、請求項１から請求項５のいずれか１項に従って構成され、及び／又は
前記阻止部分（６１）は、前記表示デバイス（２５）のハウジング（３１）に一体化され、及び／又は前記容器（３）の長手方向又は小出し方向に対して横断方向に移動可能である、
ことを特徴とする容器（３）。
【請求項１０】
前記阻止部分（６１）は、表示要素（３５）を回転送りするための起動アーム（３８）と接続されることを特徴とする請求項９に記載の容器。
【請求項１１】
前記阻止部分（６１）は、摺動キャリッジを含み又は摺動キャリッジによって形成されることを特徴とする請求項９又は請求項１０に記載の容器。
【請求項１２】
流体（２）のためのネブライザ（１）であって、
前記流体（２）を収容する取替可能容器（３）と、
前記容器（３）を受け入れるためのネブライザハウジング（２４）と、
前記容器（３）を取り替えるためにネブライザ（１）から取り外される又は開くことができるハウジング部分（１８）と、
前記容器（３）を用いて実施されたか又は依然として可能な使用回数を計数する及び／又は表示するための表示デバイス（２５）と、を含み、
前記表示デバイス（２５）は、この容器（３）を用いた予め決められた使用回数が到達されたか又は超過された時にロック状態で前記ネブライザハウジング（２４）及び／又はハウジング部分（１８）の少なくとも部分開放を開始するようになっており、及び／又は  前記表示デバイス（２５）は、この容器（３）を用いた予め決められた使用回数が到達されたか又は超過された時にロック状態で前記ネブライザハウジング（２４）、ハウジング部分（１８）、及び容器（３）の完全閉鎖アセンブリを防止するようになっており、及び／又は
前記表示デバイス（２５）は、この容器（３）を用いた予め決められた使用回数が到達されたか又は超過された時にロック状態でネブライザ（１）及び／又はハウジング部分（１８）内への該容器（３）の完全挿入を阻止し、又はネブライザ（１）内の該容器（３）の完全軸線方向又は行程状可動性を阻止するようになっている、
ことを特徴とするネブライザ（１）。
【請求項１３】
ネブライザ（１）が、前記ネブライザハウジング（２４）又はハウジング部分（１８）が少なくとも部分的に開いている場合に更なる使用又は引張を阻止するようになっていることを特徴とする請求項１２に記載のネブライザ。
【請求項１４】
前記表示デバイス（２５）は、表示要素（３５）と該表示要素（３５）を回転送りするための起動要素（３６）とを含むことを特徴とする請求項１２又は１３に記載のネブライザ。
【請求項１５】
前記起動要素（３６）は、前記ロック状態で前記ネブライザ（１）内の前記容器（３）の更なる使用を阻止するように構成され、
好ましくは、前記起動要素（３６）は、前記表示要素（３５）を回転送りするために第１及び第２の位置間で前後に移動可能であり、かつ前記ロック状態で前記容器（３）の更なる使用を阻止する第３の位置内に移動可能である、
ことを特徴とする請求項１４に記載のネブライザ。
【請求項１６】
好ましくは請求項１２から請求項１５のいずれか１項に記載の、流体（２）のためのネブライザ（１）であって、
前記流体（２）を収容する取替可能容器（３）と、
前記容器（３）を用いて実施されたか又は依然として可能な使用回数を計数する及び／又は表示するための表示デバイス（２５）と、を含み、
前記表示デバイス（２５）は、表示要素（３５）と該表示要素（３５）を回転送りするための起動要素（３６）とを含み、
前記起動要素（３６）は、前記容器（３）を用いた予め決められた使用回数が到達されたか又は超過された時にロック状態で前記容器（３）の更なる使用を阻止するように構成され、及び／又は
前記起動要素（３６）は、前記表示要素（３５）を回転送りするために第１及び第２の位置間で前後に移動可能であり、かつ前記容器（３）を用いた予め決められた使用回数が到達されたか又は超過された時にロック状態で前記容器（３）の更なる使用を防止する第３の位置内に移動可能である、
ことを特徴とするネブライザ（１）。
【請求項１７】
前記起動要素（３６）は、摺動キャリッジを含み又は摺動キャリッジによって形成されることを特徴とする請求項１４から請求項１６のいずれか１項に記載のネブライザ。
【請求項１８】
前記起動要素（３６）は、前記ロック状態で前記表示デバイス（２５）の挿入開口部（５４）を遮断又は閉鎖することを特徴とする請求項１４から請求項１７のいずれか１項に記載のネブライザ。
【請求項１９】
前記表示デバイス（２５）は、前記ロック状態で前記ネブライザ（１）内の前記容器（３）の更なる使用を阻止する阻止部分（６１）を含み、
前記阻止部分（６１）は、前記表示デバイス（２５）のハウジング（３１）に一体化される、
ことを特徴とする請求項１２から請求項１８のいずれか１項に記載のネブライザ。
【請求項２０】
前記阻止部分（６１）は、前記ロック状態で前記表示デバイス（２５）の挿入開口部（５４）を遮断又は閉鎖することを特徴とする請求項１９に記載のネブライザ。
【請求項２１】
好ましくは請求項１２から請求項２０のいずれか１項に記載の、流体（２）のためのネブライザ（１）であって、
前記流体（２）を収容する取替可能容器（３）と、
前記容器（３）を用いて実施されたか又は依然として可能な使用回数を計数する及び／又は表示するための表示デバイス（２５）と、を含み、
前記表示デバイス（２５）は、前記容器（３）を用いた予め決められた使用回数が到達されたか又は超過された時にロック状態で前記容器（３）の更なる使用を防止するための阻止部分（６１）を含み、
前記阻止部分（６１）は、前記ロック状態で前記表示デバイス（２５）の挿入開口部（５４）を閉鎖し、及び／又は
前記阻止部分（６１）は、前記表示デバイス（２５）のハウジング（３１）に一体化され、及び／又は前記容器（３）又はネブライザ（１）の長手方向又は小出し方向に対して横断方向に移動可能である、
ことを特徴とするネブライザ（１）。
【請求項２２】
前記阻止部分（６１）は、前記表示デバイス（２５）の表示要素（３５）を回転送りするための起動アーム（３８）と接続され又はそれを形成することを特徴とする請求項１９から請求項２１のいずれか１項に記載のネブライザ。
【請求項２３】
前記阻止部分（６１）は、摺動キャリッジを含み又は摺動キャリッジによって形成されることを特徴とする請求項２０から請求項２２のいずれか１項に記載のネブライザ。
【請求項２４】
前記挿入開口部（５４）は、該挿入開口部（５４）が遮断又は閉鎖されていない時に前記ネブライザ（１）の好ましくは静止駆動部分（５２）の挿入を可能にすることを特徴とする請求項１８、請求項２０、又は請求項２１に記載のネブライザ。
【請求項２５】
前記ネブライザ（１）が、好ましくは前記ネブライザハウジング（２４）又は駆動部分（２５）に対する容器（３）又は表示デバイス（２５）の相対移動により、前記表示デバイス（２５）を駆動又は起動又はトリガするための及び／又は前記容器（３）を開く又は穿孔するための好ましくは静止駆動部分（５２）を含むことを特徴とする請求項１２から請求項２４のいずれか１項に記載のネブライザ。
【請求項２６】
前記表示デバイス（２５）は、前記容器（３）と分離不能に接続されるが、それが該容器（３）と共に取替可能であるように前記ネブライザハウジング（２４）及びハウジング部分（１８）から分離可能であることを特徴とする請求項１２から請求項２５のいずれか１項に記載のネブライザ。
【請求項２７】
好ましくは請求項１２から請求項２６のいずれか１項に記載の、流体（２）のためのネブライザ（１）であって、
前記流体（２）を収容する取替可能容器（３）と、
前記容器（３）を受け入れるためのネブライザハウジング（２４）と、
前記容器（３）を取り替えるために前記ネブライザハウジング（２４）から取り外される又は開くことができるハウジング部分（１８）と、
前記容器（３）を用いて実施されたか又は依然として可能な使用回数を計数する及び／又は表示するための表示デバイス（２５）と、を含み、
前記表示デバイス（２５）は、該表示デバイス（２５）の前記計数又は表示を駆動、起動、又はトリガするために駆動部分（５２）のための挿入開口部（５４）を含み、前記表示デバイス（２５）は、予め決められた使用回数が到達されたか又は超過された時にロック状態で前記挿入開口部（５４）を遮断又は閉鎖するようになっている、
ことを特徴とするネブライザ（１）。
【請求項２８】
前記表示デバイス（２５）は、好ましくは前記流体（２）の供給又は噴霧中に及び／又は前記ネブライザ（１）の引張中に、前記ネブライザ（１）内で前記容器（３）と共に軸線方向に又は前後に移動可能であることを特徴とする請求項１２から請求項２７のいずれか１項に記載のネブライザ。
【請求項２９】
前記表示デバイス（２５）は、請求項１から請求項５のいずれか１項に従って構成されることを特徴とする請求項１２から請求項２８のいずれか１項に記載のネブライザ。
【請求項３０】
前記容器（３）は、請求項６から請求項１１のいずれか１項に従って構成されることを特徴とする請求項１２から請求項２９のいずれか１項に記載のネブライザ。